(57)【特許請求の範囲】
【請求項１】
火薬類を貯蔵するための貯蔵倉庫であって、
地上又は地下の設置面上に設置され、火薬類を貯蔵するための倉庫本体と、
前記倉庫本体の外面を覆う第１土層と、
前記第１土層の外面を覆う、遮水性を有する第１シート体と、
前記第１シート体の外面を覆う第２土層と、
前記第２土層の外面を覆い、前記倉庫本体の爆発時における前記第２土層の飛散を抑えるための第２シート体と、
前記第２シート体を前記設置面に固定する第１固定手段とを備えた、貯蔵倉庫。
【請求項２】
前記第２シート体の外面を覆う第３土層を更に備えた、請求項１記載の貯蔵倉庫。
【請求項３】
前記第３土層の外面を覆い、前記倉庫本体の爆発時における前記第３土層の飛散を抑えるための第３シート体と、
前記第３シート体を前記設置面に固定する第２固定手段とを更に備えた、請求項２記載の貯蔵倉庫。
【請求項４】
火薬類を貯蔵するための貯蔵倉庫であって、
地上又は地下の設置面上に設置され、火薬類を貯蔵するための倉庫本体と、
前記倉庫本体の外面を覆う、遮水性を有する第１シート体と、
前記第１シート体の外面を覆う第１土層と、
前記第１土層の外面を覆い、前記倉庫本体の爆発時における前記第１土層の飛散を抑えるための第２シート体と、
前記第２シート体を前記設置面に固定する固定手段とを備えた、貯蔵倉庫。
【請求項５】
前記第２シート体の外面を覆う第２土層を更に備えた、請求項４記載の貯蔵倉庫。
【請求項６】
火薬類を貯蔵するための貯蔵倉庫であって、
地上又は地下の設置面上に設置され、火薬類を貯蔵するための倉庫本体と、
前記倉庫本体の外面を覆う第１土層と、
前記第１土層の上面において、少なくとも前記倉庫本体の平面視における範囲を覆うように平面状に設置された、遮水性を有する第１シート体と、
前記第１シート体の上面を覆う第２土層と、
前記第１土層及び前記第２土層の外面を覆い、前記倉庫本体の爆発時における前記第１土層及び前記第２土層の飛散を抑えるための第２シート体と、
前記第２シート体を前記設置面に固定する固定手段とを備えた、貯蔵倉庫。
【請求項７】
前記第２シート体の外面を覆う第３土層を更に備えた、請求項６記載の貯蔵倉庫。
【請求項８】
火薬類を貯蔵するための貯蔵倉庫であって、
地上又は地下の設置面上に設置され、火薬類を貯蔵するための倉庫本体と、
前記倉庫本体の外面を覆う第１土層と、
前記第１土層の外面を覆い、前記倉庫本体の爆発時における前記第１土層の飛散を抑えるための第１シート体と、
前記第１シート体の外面を覆う第２土層と、
前記第２土層の外面を覆う、遮水性を有する第２シート体と、
前記第２シート体の外面を覆う第３土層とを備えた、貯蔵倉庫。
【請求項９】
火薬類を貯蔵するための貯蔵倉庫であって、
地面を掘削した掘削底面上に設置され、火薬類を貯蔵するための倉庫本体と、
前記倉庫本体の外面を覆う第１土層と、
前記第１土層の上面において、少なくとも前記倉庫本体の平面視における範囲を覆うように平面状に設置された、遮水性を有する第１シート体と、
前記第１シート体の上面を覆う第２土層と、
前記第２土層の上面において、前記倉庫本体の爆発時における前記第２土層の上方への飛散を抑えるために、少なくとも前記飛散の範囲を覆うように平面状に設置された第２シート体と、
前記第２シート体の上面を覆う第３土層とを備えた、貯蔵倉庫。
【請求項１０】
火薬類を貯蔵するための貯蔵倉庫であって、
地上又は地下の設置面上に設置され、火薬類を貯蔵するための倉庫本体と、
前記倉庫本体の外面を覆う土層と、
前記土層の少なくとも一部に対して遮水効果を発揮する遮水シートと、
前記倉庫本体の爆発時における前記土層の飛散を抑えるための補強用シートとを備え、
前記補強用シートよりも前記倉庫本体側に前記遮水シートが設置される、貯蔵倉庫。
【請求項１１】
火薬類を貯蔵するための貯蔵倉庫であって、
地上又は地下の設置面上に設置されると共に、その外面に防水加工が施された、火薬類を貯蔵するための倉庫本体と、
前記倉庫本体の外面を覆う第１土層と、
前記第１土層の外面を覆い、前記倉庫本体の爆発時における前記第１土層の飛散を抑えるためのシート体と、
前記シート体を前記設置面に固定する固定手段とを備え、
前記シート体は、遮水機能を有さない部材からなる、貯蔵倉庫。
【請求項１２】
前記シート体の外面を覆う第２土層を更に備えた、請求項１１記載の貯蔵倉庫。
【請求項１３】
前記シート体は、織布、不織布、金網及び樹脂ネットのうちのいずれかからなる部材である、請求項１１又は１２記載の貯蔵倉庫。
【発明の詳細な説明】
【技術分野】
【０００１】
この発明は貯蔵倉庫に関し、特に、爆発危険性を有する火薬類等を貯蔵するための貯蔵倉庫に関するものである。
【背景技術】
【０００２】
従来の火薬類等を貯蔵するための貯蔵倉庫は、コンクリート製の構造体で構成されているのが一般的である。
【０００３】
又、特許文献１に示すように、一対の不透水性のシートの間に複数の密封式のチューブ群を配列して連続構造体を形成し、この連続構造体に発泡ウレタン等を充填して所定の形状に立ち上がらせて貯蔵倉庫を構築する方法が提案されている。これによって、施工が容易となり、トンネル内で大きな容積の倉庫を確保できるとされている。
更に、特許文献１と同様に複数の密封式のチューブ群等を用いて、底部となるベース枠、屋根構造及び端壁構造よりなるエヤテント型の貯蔵倉庫が提案されている（特許文献２）。
【先行技術文献】
【特許文献】
【０００４】
【特許文献１】特公平６−２３５１８号公報
【特許文献２】実公昭６２−１９７９４号公報
【発明の概要】
【発明が解決しようとする課題】
【０００５】
上記のような従来のコンクリート製の構造体の貯蔵倉庫では、火薬類が爆発したとき、構造体の破片が飛散したり、爆風圧が拡散する虞がある。
【０００６】
又、特許文献１及び特許文献２の貯蔵倉庫では、コンクリート片の飛散等は無いものの構造が複雑であり、施工性、汎用性が高いとは言えない。
【０００７】
この発明は、上記のような課題を解決するためになされたもので、簡易な構成で、火薬等を貯蔵する倉庫本体が遮水されると共に爆発時における爆発片の飛散や爆風圧の拡散が抑制される貯蔵倉庫を提供することを目的とする。
【課題を解決するための手段】
【０００８】
上記の目的を達成するために、請求項１記載の発明は、火薬類を貯蔵するための貯蔵倉庫であって、地上又は地下の設置面上に設置され、火薬類を貯蔵するための倉庫本体と、倉庫本体の外面を覆う第１土層と、第１土層の外面を覆う、遮水性を有する第１シート体と、第１シート体の外面を覆う第２土層と、第２土層の外面を覆い、倉庫本体の爆発時における第２土層の飛散を抑えるための第２シート体と、第２シート体を設置面に固定する第１固定手段とを備えたものである。
【０００９】
このように構成すると、第１シート体と第２シート体とが遮水機能と爆発抑制機能とを分担する。
【００１０】
請求項２記載の発明は、請求項１記載の発明の構成において、第２シート体の外面を覆う第３土層を更に備えたものである。
【００１１】
このように構成すると、第２シート体の設置状態が安定する。
【００１２】
請求項３記載の発明は、請求項２記載の発明の構成において、第３土層の外面を覆い、倉庫本体の爆発時における第３土層の飛散を抑えるための第３シート体と、第３シート体を設置面に固定する第２固定手段とを更に備えたものである。
【００１３】
このように構成すると、爆発抑制機能を有するシート体が第３土層を介して重なり合う。
【００１４】
請求項４記載の発明は、火薬類を貯蔵するための貯蔵倉庫であって、地上又は地下の設置面上に設置され、火薬類を貯蔵するための倉庫本体と、倉庫本体の外面を覆う、遮水性を有する第１シート体と、第１シート体の外面を覆う第１土層と、第１土層の外面を覆い、倉庫本体の爆発時における第１土層の飛散を抑えるための第２シート体と、第２シート体を設置面に固定する固定手段とを備えたものである。
【００１５】
このように構成すると、第１シート体で直接倉庫本体を遮水する。
【００１６】
請求項５記載の発明は、請求項４記載の発明の構成において、第２シート体の外面を覆う第２土層を更に備えたものである。
【００１７】
このように構成すると、第２シート体の設置状態が安定する。
【００１８】
請求項６記載の発明は、火薬類を貯蔵するための貯蔵倉庫であって、地上又は地下の設置面上に設置され、火薬類を貯蔵するための倉庫本体と、倉庫本体の外面を覆う第１土層と、第１土層の上面において、少なくとも倉庫本体の平面視における範囲を覆うように平面状に設置された、遮水性を有する第１シート体と、第１シート体の上面を覆う第２土層と、第１土層及び第２土層の外面を覆い、倉庫本体の爆発時における第１土層及び第２土層の飛散を抑えるための第２シート体と、第２シート体を設置面に固定する固定手段とを備えたものである。
【００１９】
このように構成すると、上方からの雨水の浸入が第１シート体で阻止される。
【００２０】
請求項７記載の発明は、請求項６記載の発明の構成において、第２シート体の外面を覆う第３土層を更に備えたものである。
【００２１】
このように構成すると、第２シート体の設置状態が安定する。
【００２２】
請求項８記載の発明は、火薬類を貯蔵するための貯蔵倉庫であって、地上又は地下の設置面上に設置され、火薬類を貯蔵するための倉庫本体と、倉庫本体の外面を覆う第１土層と、第１土層の外面を覆い、倉庫本体の爆発時における第１土層の飛散を抑えるための第１シート体と、第１シート体の外面を覆う第２土層と、第２土層の外面を覆う、遮水性を有する第２シート体と、第２シート体の外面を覆う第３土層とを備えたものである。
【００２３】
このように構成すると、第１シート体と第２シート体とが爆発抑制機能と遮水機能とを分担する。又、第２シート体の設置状態が安定する。
【００２６】
請求項９記載の発明は、火薬類を貯蔵するための貯蔵倉庫であって、地面を掘削した掘削底面上に設置され、火薬類を貯蔵するための倉庫本体と、倉庫本体の外面を覆う第１土層と、第１土層の上面において、少なくとも倉庫本体の平面視における範囲を覆うように平面状に設置された、遮水性を有する第１シート体と、第１シート体の上面を覆う第２土層と、第２土層の上面において、倉庫本体の爆発時における第２土層の上方への飛散を抑えるために、少なくとも飛散の範囲を覆うように平面状に設置された第２シート体と、第２シート体の上面を覆う第３土層とを備えたものである。
【００２７】
このように構成すると、第２シート体によって爆発時の上方への飛散が抑制される。
【００２８】
請求項１０記載の発明は、火薬類を貯蔵するための貯蔵倉庫であって、地上又は地下の設置面上に設置され、火薬類を貯蔵するための倉庫本体と、倉庫本体の外面を覆う土層と、土層の少なくとも一部に対して遮水効果を発揮する遮水シートと、倉庫本体の爆発時における土層の飛散を抑えるための補強用シートとを備え、補強用シートよりも倉庫本体側に遮水シートが設置されるものである。
【００２９】
このように構成すると、遮水シートと補強用シートとが遮水機能と爆発抑制機能とを分担する。
【００３０】
請求項１１記載の発明は、火薬類を貯蔵するための貯蔵倉庫であって、地上又は地下の設置面上に設置されると共に、その外面に防水加工が施された、火薬類を貯蔵するための倉庫本体と、倉庫本体の外面を覆う第１土層と、第１土層の外面を覆い、倉庫本体の爆発時における第１土層の飛散を抑えるためのシート体と、シート体を設置面に固定する固定手段とを備え、シート体は、遮水機能を有さない部材からなるものである。
【００３１】
このように構成すると、遮水性を有するシート体の設置が不要となる。
【００３２】
請求項１２記載の発明は、請求項１１記載の発明の構成において、シート体の外面を覆う第２土層を更に備えたものである。
【００３３】
このように構成すると、シート体の設置状態が安定する。
請求項１３記載の発明は、請求項１１又は１２記載の発明の構成において、シート体は、織布、不織布、金網及び樹脂ネットのうちのいずれかからなる部材である。
このように構成すると、シート体は、爆発抑制機能を有するが、遮水機能を有さないものになる。
【発明の効果】
【００３４】
以上説明したように、請求項１記載の発明は、第１シート体と第２シート体とが遮水機能と爆発抑制機能とを分担するため、これらの機能を一体化したシート体を用いるものに比べて、効率的な配置が可能となる。
【００３５】
請求項２記載の発明は、請求項１記載の発明の効果に加えて、第２シート体の設置状態が安定するため、第２シート体の爆発抑制機能が更に向上する。
【００３６】
請求項３記載の発明は、請求項２記載の発明の効果に加えて、爆発抑制機能を有するシート体が第３土層を介して重なり合うため、全体の爆発抑制機能が向上する。
【００３７】
請求項４記載の発明は、第１シート体で直接倉庫本体を遮水するため、第１シート体の使用量が抑えられ、コスト的に有利となる。
【００３８】
請求項５記載の発明は、請求項４記載の発明の効果に加えて、第２シート体の設置状態が安定するため、第２シート体の爆発抑制機能が更に向上する。
【００３９】
請求項６記載の発明は、上方からの雨水の浸入が第１シート体で阻止されるため、第１土層の含水率が維持されるので爆発抑制効果が安定する。
【００４０】
請求項７記載の発明は、請求項６記載の発明の効果に加えて、第２シート体の設置状態が安定するため、第２シート体の爆発抑制機能が更に向上する。
【００４１】
請求項８記載の発明は、第１シート体と第２シート体とが爆発抑制機能と遮水機能とを分担するため、これらの機能を一体化したシート体を用いるものに比べて、効率的な配置が可能となる。又、第２シート体の設置状態が安定するため、第２シート体の遮水機能が安定して発揮される。
【００４３】
請求項９記載の発明は、第２シート体によって爆発時の上方への飛散が抑制されるため、第２シート体における効率的な配置が可能となる。
【００４４】
請求項１０記載の発明は、遮水シートと補強用シートとが遮水機能と爆発抑制機能とを分担するため、これらの機能を一体化したシート体を用いるものに比べて、効率的な配置が可能となる。
【００４５】
請求項１１記載の発明は、遮水性を有するシート体の設置が不要となるため、コスト的に有利な構造となる。
【００４６】
請求項１２記載の発明は、請求項１１記載の発明の効果に加えて、シート体の設置状態が安定するため、シート体の爆発抑制機能が更に向上する。
又、請求項１３記載の発明によっても、請求項１１又は１２記載の発明と同等の効果が得られる。
【図面の簡単な説明】
【００４７】
【図１】この発明の第１の実施の形態による貯蔵倉庫の外観形状を示す平面図である。
【図２】図１で示したＩＩ−ＩＩラインの断面図である。
【図３】この発明の第２の実施の形態による貯蔵倉庫の概略断面図である。
【図４】この発明の第３の実施の形態による貯蔵倉庫の概略断面図である。
【図５】この発明の第４の実施の形態による貯蔵倉庫の概略断面図である。
【図６】この発明の第５の実施の形態による貯蔵倉庫の概略断面図である。
【図７】この発明の第６の実施の形態による貯蔵倉庫の概略断面図である。
【図８】この発明の第７の実施の形態による貯蔵倉庫の概略断面図である。
【図９】この発明の第８の実施の形態による貯蔵倉庫の概略断面図である。
【発明を実施するための形態】
【００４８】
図１はこの発明の第１の実施の形態による貯蔵倉庫の外観形状を示す平面図であり、図２は図１で示したＩＩ−ＩＩラインの断面図である。
【００４９】
これらの図を参照して、貯蔵倉庫１１の中心となる、火薬類等が貯蔵されている倉庫本体１９は、地面である設置面７上に設置されている。倉庫本体１９は、その材質は限定しないが、以下に述べるようなその外面に設置する構造体等を保持できるような強度を有する構造であれば良い。
【００５０】
倉庫本体１９の外面であって設置面７より上の面が第１土層３１で覆われており、その外面が第１シート体２１によって覆われている。第１シート体２１は総ゴム製の遮水シートが用いられており、第１シート体２１の内方側に位置する倉庫本体１９及び第１土層３１への雨水等の浸入を阻止する遮水機能を有している。
【００５１】
又、第１シート体２１の外面は第２土層３２で覆われており、その外面が第２シート体２２によって覆われている。更に、第２シート体２２の外面は第３土層３３で覆われている。第２シート体２２は織布よりなる補強用シートが用いられており、倉庫本体１９の爆発時における第２土層３２の飛散を抑えるように、その網目間隔及び繊維強度が決定されている。即ち、第２シート体２２は爆発抑制機能を有している。尚、第２シート体２２の繊維強度を変更することで、種々の条件に適した爆発抑制機能を有する貯蔵倉庫１１を容易に施工することができる。
【００５２】
又、第２シート体２２の設置面７側の端部となる平坦部４１ａ、４１ｂの各々は、第１固定手段の一例となるアンカーボルト等の複数の固定部材４２ａ、４２ｂによって長手方向（図２の貫通方向）に連続的に設置面７に固定されている。平坦部４１ａ、４１ｂの幅や強度及び固定部材４２ａ、４２ｂの設置間隔は、爆風圧の大きさによって設定すれば良い。
【００５３】
次に、この貯蔵倉庫１１における安全性について説明する。
【００５４】
倉庫本体１９に収納されている火薬類がなんらかの原因で爆発すると、周囲にその破片が飛散したり爆風が拡散する。しかし、倉庫本体１９の設置面７より上の周囲は第２シート体２２で覆われているため、破片や爆風は第２シート体２２により抑制される。又、第２シート体２２は倉庫本体１９の外方を覆うと共に、その平坦部４１ａ、４１ｂが設置面７に固定されているため、第２シート体２２は爆風等によって捲りあがることが無い。その結果、第２シート体２２が破損しない状態では、倉庫本体１９を包囲した第２シート体２２に伝達された爆風等の外部への拡散が抑制されるため、周囲の安全性が向上する。尚、設置面７の方向に拡散した爆風は地面に吸収され、設置面７より上の周囲に影響を与えることは無い。
【００５５】
尚、第１シート体２１も倉庫本体１９を包囲するように設置されているが、第１シート体２１はあくまで遮水機能としての役割を果たすものである。従って、倉庫本体１９の爆発を抑制する機能を有する必要は無く、爆風等によって外部に拡散する虞がある強度であっても良い。
【００５６】
このように、第１シート体２１は遮水性を有しているため、第１シート体２１の内方側に位置する倉庫本体１９及び第１土層３１に雨水等が浸透することは無い。従って、倉庫本体１９内の火薬類の湿潤が防止される。更に、第１土層３１内の含水率が維持される。即ち、第１土層３１の粘性が保持されるため、第１土層３１の崩壊が防止される。
【００５７】
このように、貯蔵倉庫１１においては、第１シート体２１と第２シート体２２とが遮水機能と爆発抑制機能とを分担している。従って、例えばゴムシートの内部に織布を埋設したような、遮水機能と爆発抑制機能とが一体化したシート体を１枚用いる貯蔵倉庫の場合に比べて、効率的な配置が可能となる。即ち、各々の機能を要する範囲に第１シート体２１と第２シート体２２とを設置すれば良いため、第１シート体２１と第２シート体２２との設置範囲に無駄が無くなる。
【００５８】
又、第１シート体２１と第２シート体２２との２枚のシート体を使用することによって、１枚のシート体を使用する場合に比べ、貯蔵倉庫１１が有する土層の数が増加する。従って、一体的な土層とはならず各土層が独立した状態となるため、土層全体の崩壊等が防止される。即ち、貯蔵倉庫１１の土層全体の強度が向上することになる。
【００５９】
又、第２シート体２２の外面が第３土層３３によって覆われているため、第２シート体２２の設置状態が安定すると共に、倉庫本体１９の爆発によって伝達された爆風等による第２シート体２２の浮き上がりが、第３土層３３によって確実に防止されることになる。従って、第２シート体２２の爆発抑制機能が更に向上し、貯蔵倉庫１１の信頼性が向上する。
【００６０】
尚、第１土層３１、第２土層３２及び第３土層３３の土の種類や施工厚さは、倉庫本体１９内に貯蔵される火薬類の爆発力による第２シート体２２への影響などに応じて、種々の構造に決定すれば良い。
【００６１】
又、このような貯蔵倉庫１１は、図２の二点鎖線で示すように、地下に設置される貯蔵倉庫１１に対しても同様に適用することができる。以下に、上述した地上に設置される貯蔵倉庫１１と相違する点を中心に説明する。
【００６２】
図２を参照して、倉庫本体１９は、地面５を掘削して形成された掘削底面である設置面７上に設置されている。又、第２シート体２２の外面は、その上面が地面５に整列した第３土層３３によって覆われている。即ち、掘削側面４４ａ、４４ｂを含め掘削部分の残りが全て第３土層３３で埋められることになる。尚、このような第３土層３３を第２シート体２２の第１固定手段とし、第２シート体２２の平坦部４１ａ、４１ｂを設置面７上に固定しても良い。その場合、上述したアンカーボルト等の固定部材４２ａ、４２ｂは無くても良い。又は、第３土層３３と固定部材４２ａ、４２ｂとを併せて第１固定手段として使用しても良い。
【００６３】
尚、このような地下に設置される貯蔵倉庫１１における効果については、上述した地上に設置される貯蔵倉庫１１と同様であることは言うまでも無い。
【００６４】
図３はこの発明の第２の実施の形態による貯蔵倉庫の概略断面図であって、第１の実施の形態の図２に対応するものである。
【００６５】
図を参照して、基本的な構成は第１の実施の形態の貯蔵倉庫と同一であるので、ここではその相違点について主に説明する。
【００６６】
この実施の形態による貯蔵倉庫１２にあっては、第２シート体２２の外面側の構造が大きく異なっている。即ち、貯蔵倉庫１２は、図２で示した第２シート体２２の外面を覆う第３土層３３を備えておらず、第２シート体２２の外面が露出した状態となっている。
【００６７】
このような貯蔵倉庫１２においては、図２で示した第３土層３３を設置する必要が無くなるため、施工の手間を省くことができ、貯蔵倉庫１２の設置工程をより簡略化することができる。
【００６８】
尚、貯蔵倉庫１２においても、第１の実施の形態による貯蔵倉庫と同様、図の二点鎖線で示すように、貯蔵倉庫１２が地下に設置される場合であっても同様に適用することができる。その場合、第２シート体２２の側面部分の各々と、掘削側面４４ａ、４４ｂの各々との間のスペースを埋めるように、第３土層３３ａ、３３ｂを形成する。第３土層３３ａ、３３ｂは、第２シート体２２の平坦部４１ａ、４１ｂの上に形成されるため、第２シート体２２の捲り上がりを阻止する効果を奏する。更に、第３土層３３ａ、３３ｂを第２シート体２２の設置面７への第１固定手段として使用することも可能であり、その場合、固定部材４２ａ、４２ｂは無くても良い。
【００６９】
図４はこの発明の第３の実施の形態による貯蔵倉庫の概略断面図であって、第１の実施の形態の図２に対応するものである。
【００７０】
この実施の形態による貯蔵倉庫１３にあっては、第１シート体２１の設置位置及び設置形状を除いては、第１の実施の形態による貯蔵倉庫と同一である。即ち、倉庫本体１９の外面は、土層を介さずに直接第１シート体２１に覆われている。
【００７１】
このような貯蔵倉庫１３においては、第１シート体２１で直接倉庫本体１９を遮水することになるため、第１の実施の形態による貯蔵倉庫に比べて、第１シート体２１の使用量を抑えることができる。即ち、コスト的に有利な貯蔵倉庫１３となる。
【００７２】
尚、第１シート体２１より外方側の構造については、第１の実施の形態によるものと同一であるため、同様の効果を発揮することは言うまでも無い。
【００７３】
更に、第１の実施の形態による貯蔵倉庫と同様、図で示す地上に設置される場合に限らず、貯蔵倉庫１３は地下に設置される場合であっても同様に適用することができる。
【００７４】
図５はこの発明の第４の実施の形態による貯蔵倉庫の概略断面図であって、第１の実施の形態の図２に対応するものである。
【００７５】
この実施の形態による貯蔵倉庫１４にあっては、特に第１シート体２１の設置形状を除いては第１の実施の形態による貯蔵倉庫と同一である。即ち、倉庫本体１９の外面が第１土層３１で覆われており、第１土層３１の上面３７において、少なくとも倉庫本体１９の平面視における範囲を覆うように第１シート体２１が平面状に設置されている。又、第１シート体２１の上面が第２土層３２で覆われており、第１土層３１及び第２土層３２の外面が第２シート体２２で覆われている。
【００７６】
このような貯蔵倉庫１４においては、遮水機能を有する第１シート体２１によって、第１シート体２１の下方に位置する第１土層３１の部分及び倉庫本体１９への、上方からの雨水の浸入が阻止される。従って、第１土層３１の含水率が維持されるため、第１土層３１の崩壊が防止される。更に、倉庫本体１９内の火薬類の湿潤が防止される。
【００７７】
尚、第１の実施の形態による貯蔵倉庫と同様、図で示す地上に設置される場合に限らず、貯蔵倉庫１４は地下に設置される場合であっても同様に適用することができる。
【００７８】
図６はこの発明の第５の実施の形態による貯蔵倉庫の概略断面図であって、第１の実施の形態の図２に対応するものである。
【００７９】
この実施の形態による貯蔵倉庫１５にあっては、第１の実施の形態による貯蔵倉庫の遮水機能を有する第１シート体を備えていない部分を除いては第１の実施の形態による貯蔵倉庫と同一である。即ち、倉庫本体１９の外面には、破線で示すように防水加工が施されている。そして、倉庫本体１９の外面が第１土層３１で覆われており、第１土層３１の外面が、図２で示した第２シート体２２と同一のシート体２３で覆われている。即ち、シート体２３は織布よりなる補強用シートで構成されており、爆発抑制機能を有している。
【００８０】
このような貯蔵倉庫１５においては、倉庫本体１９の外面に防水加工が施されているため、これによって倉庫本体１９内の火薬類の湿潤が防止される。従って、遮水性を有するシート体を設置する必要が無くなるため、コスト的に有利な貯蔵倉庫１５となる。
【００８１】
尚、第１の実施の形態による貯蔵倉庫と同様、図で示す地上に設置される場合に限らず、貯蔵倉庫１５は地下に設置される場合であっても同様に適用することができる。
【００８２】
図７はこの発明の第６の実施の形態による貯蔵倉庫の概略断面図であって、第１の実施の形態の図２に対応するものである。
【００８３】
図を参照して、基本的な構成は第１の実施の形態の貯蔵倉庫と同一であるので、ここではその相違点について主に説明する。
【００８４】
この実施の形態による貯蔵倉庫１６にあっては、爆発抑制機能を有する第１シート体２４と遮水機能を有する第２シート体２５との位置関係が大きく異なっている。即ち、第１土層３１の外面が爆発抑制機能を有する第１シート体２４で覆われている。又、第１シート体２４の外面が第２土層３２で覆われており、第２土層３２の外面が遮水機能を有する第２シート体２５で覆われている。
【００８５】
このような貯蔵倉庫１６においては、第１の実施の形態による貯蔵倉庫と同様に、第１シート体２４と第２シート体２５とが、爆発抑制機能と遮水機能とを分担している。従って、第１の実施の形態による貯蔵倉庫におけるシート体の各々の位置関係に対して、第１シート体２４と第２シート体２５との位置を入れ替えた状態であっても、同様の効果を奏する。
【００８６】
尚、第１の実施の形態による貯蔵倉庫と同様、図で示す地上に設置される場合に限らず、貯蔵倉庫１６は地下に設置される場合であっても同様に適用することができる。
【００８７】
図８はこの発明の第７の実施の形態による貯蔵倉庫の概略断面図であって、第１の実施の形態の図２に対応するものである。
【００８８】
図を参照して、基本的な構成は第１の実施の形態の貯蔵倉庫と同一であるので、ここではその相違点について主に説明する。
【００８９】
この実施の形態による貯蔵倉庫１７にあっては、爆発抑制機能を有する第３シート体２７を更に備えている。即ち、第３土層３３の外面が第２シート体２２と同一機能を有する第３シート体２７に覆われており、第３シート体２７の外面が第４土層３４に覆われている。尚、第３シート体２７の設置面７側の端部となる平坦部４６ａ、４６ｂの各々は、第２シート体２２と同様、第２固定手段であるアンカーボルト等の複数の固定部材４７ａ、４７ｂによって設置面７に固定されている。
【００９０】
このような貯蔵倉庫１７においては、第３土層３３を介して重なり合う第２シート体２２と第３シート体２７とが爆発抑制機能を有することになる。従って、第１の実施の形態による貯蔵倉庫に比べ、貯蔵倉庫１７全体の爆発抑制機能が向上する。更に、第４土層３４によって、爆発による第３シート体２７の捲り上がりが阻止されるため、第３シート体２７の爆発抑制機能が更に向上する。
【００９１】
尚、第１の実施の形態による貯蔵倉庫と同様、図で示す地上に設置される場合に限らず、貯蔵倉庫１７は地下に設置される場合であっても同様に適用することができる。
【００９２】
図９はこの発明の第８の実施の形態による貯蔵倉庫の概略断面図であって、第１の実施の形態の図２に対応するものである。
【００９３】
この実施の形態による貯蔵倉庫１８にあっては、第２シート体２２の設置形状を除いては、地下に設置される第１の実施の形態による貯蔵倉庫と同一である。即ち、第１シート体２１の外面が第２土層３２で覆われており、第２土層３２の上面３８には平面状に設置された第２シート体２２が設置されている。そして、第２シート体２２の上面が第３土層３３によって覆われている。
【００９４】
第２シート体２２は、倉庫本体１９における爆発中心点Ａから上方に向かう垂直ライン５１を基準として、爆発中心点Ａを中心に幅方向（図の左右方向）の各々に角度θ１、θ２傾けたクレーター発生予測ライン５２ａ、５２ｂの範囲より大きくなるように設定されている。角度θ１、θ２は、共に４５°に設定するのが好ましい。
【００９５】
そして、平面状に設置された第２シート体２２は、その上面が第３土層３３によって覆われているため、爆発時における捲り上がりが防止される。従って、爆発時の第２土層３２の上方への飛散を抑制することができる。そして、第１シート体２１と第２シート体２２とが遮水機能と爆発抑制機能とを分担するため、第２シート体２２における効率的な配置が可能となり、広範囲に亘る地表面での土層等の飛散を抑制することができる。又、上述した通り、第２シート体２２は爆発によるクレーター発生予測ライン５２ａ、５２ｂの範囲より大きくなるように設定されているため、爆発による地表面でのクレーターの発生を効率的に抑制することができる。
【００９６】
尚、上記の各実施の形態では、遮水機能を有するシート体は総ゴム製のシートを用いているが、例えば塩化ビニルやポリエチレン等よりなる合成樹脂製のシート、又は金属製のシート等、遮水性を有するものであれば、他の素材のシートであっても良い。
【００９７】
又、上記の各実施の形態では、爆発抑制機能を有するシート体は織布よりなるシートを用いているが、例えば不織布よりなるシート、金網、又は補強土工法に用いられるジオテキスタイル（ジオテキスタイルは登録商標です）のような樹脂ネット等であっても良い。ジオテキスタイルを用いた場合、これを介して設置される土層の各々が一体化されるため、その強度が更に向上することになる。又は、例えば総ゴム製のシートや織布をゴムで被覆したもの等、爆発抑制機能を有するものであれば、遮水機能を同時に有するシートであっても良い。
【００９８】
更に、上記の各実施の形態では、遮水機能を有するシート体の設置面への固定手段については触れていないが、爆発抑制機能を有するシート体と同様に、アンカーボルト等によって端部を設置面に固定しても良い。
【００９９】
更に、上記の各実施の形態では、各シート体の設置形態については上面が平面状の特定形状としているが、各シート体の上面が平面状に形成されていなくても、例えば倉庫本体の外方を覆うアーチ状に形成する等、各シート体は他の設置形態であっても良い。その際、設置時にできるだけ角部等が現れないように設置すれば、シート体の破断を防止する意味で好ましい。
【０１００】
更に、上記の各実施の形態では、倉庫本体はその外面が矩形断面形状を有する特定形状に形成されているが、例えば上部が半円状の断面形状を有するもの等、火薬等が貯蔵できるように形成されていれば、他の形状であっても良い。
【０１０１】
更に、上記の各実施の形態では、爆発抑制機能を有するシート体を１枚又は２枚設置しているが、より大きな爆発力に応じて、該シート体を３枚以上設置するように構成しても良い。
【０１０２】
更に、上記の第１〜第７の実施の形態では、爆発抑制機能を有するシート体はアンカーボルト等の固定手段によって設置面に固定されているが、該シート体の側面又は外面を覆う土層の圧力又は土層との摩擦抵抗によって、該シート体がその機能を確保できるような設置状態が保持される場合、アンカーボルト等は無くても良い。
【０１０３】
更に、上記の第１、第２、第４、第６及び第７の実施の形態では、各々が特定構造を有しているが、倉庫本体の外面を覆う土層の少なくとも一部に対して遮水効果を発揮する遮水シートと、倉庫本体の爆発時における土層の飛散を抑えるための補強用シートとを備えていれば、他の構造であっても良い。
【０１０４】
更に、上記の第３〜第７の実施の形態では、最外方に位置する爆発抑制機能を有するシート体の外面が土層によって覆われているが、このシート体の外面を覆う土層は無くても良い。
【０１０５】
更に、上記の第８の実施の形態では、第１シート体は第１土層の外面を覆うように設置されているが、第１シート体は、第４の実施の形態と同様に、第１土層の上面において少なくとも倉庫本体の平面視における範囲を覆うように平面状に設置されていても良い。
【０１０６】
更に、上記の第８の実施の形態では、第２シート体はクレーター発生予測ラインの範囲より大きくなるように設定されているが、第２シート体は少なくとも爆発時における第２土層の上方への飛散の範囲を覆うような大きさに設定されていれば良い。
【０１０７】
更に、上記の第８の実施の形態では、爆発抑制機能を有する第２シート体は１枚のみ設置されているが、例えば第２土層における第１シート体と第２シート体との間に、爆発抑制機能を有するシート体を更に設置する等、爆発抑制機能を有するシート体が複数枚設置される構造であっても良い。
【符号の説明】
【０１０８】
７…設置面
１１〜１８…貯蔵倉庫
１９…倉庫本体
２１、２４…第１シート体
２２、２５…第２シート体
２３…シート体
２７…第３シート体
３１…第１土層
３２…第２土層
３３…第３土層
３７、３８…上面
４２、４７…固定部材
尚、各図中同一符号は同一又は相当部分を示す。
【図１】
0005755863.tif 000002
【図２】
0005755863.tif 000003
【図３】
0005755863.tif 000004
【図４】
0005755863.tif 000005
【図５】
0005755863.tif 000006
【図６】
0005755863.tif 000007
【図７】
0005755863.tif 000008
【図８】
0005755863.tif 000009
【図９】
0005755863.tif 000010